(57)【要約】      （修正有）【課題】介護者の排便処理の負担を軽減し臭気の発生を防止する排泄物処理装置を提供する。【解決手段】排泄物処理装置は、洗浄器２と移動式処理装置４を有し、洗浄器２は本体５と、その内部に設置されたタンク部６と、タンク部６内を前後方向に移動可能なシャワー部を備える洗浄装置と、開口部を覆う便座部９を有する。タンク部６には、第１の給水機構、第１の排水機構及び第２の排水機構が、洗浄装置には第２の給水機構が接続されている。移動式処理装置４は、台車部４６に第１汚水タンク、第２汚水タンク４９、水タンク及び温水タンク５１が設置され、第１汚水タンクは第１の排水機構と、第２汚水タンク４９は第２の排水機構と接続され排泄物を収容する。また、水タンクは第１の給水機構と、温水タンク５１は第２の給水機構と接続され水及び温水を供給する。【選択図】図６−３
2018175293.tif 000002
【特許請求の範囲】
【請求項１】
洗浄器と移動式処理装置を有する排泄物処理装置であって、前記洗浄器は略直方体状の本体と、該本体の内部に設置され開口部がその上面に位置するタンク部と、該タンク部内を移動可能なシャワー部を備える洗浄装置と、該洗浄装置に水または温水を供給する給水機構と、前記開口部を覆う便座部と、前記タンク部より汚水等を排出する排水機構を有し、前記移動式処理装置は台車部と、該台車部の荷台部上に設置され汚水ホースを備えるとともに空気圧縮機が接続された汚水タンクと、前記荷台部上に設置され給水ホースを備えるポンプが接続された給水タンクを有し、前記排水機構が前記汚水ホースと、前記給水機構が前記給水ホースとそれぞれ接続可能であることを特徴とする排泄物処理装置。
【請求項２】
前記洗浄器が前記タンク部に水または温水を供給する給水機構を有し、該給水機構と、前記移動式処理装置の前記荷台部上に設置された給水タンクに接続されているポンプが備える給水ホースとが接続可能であることを特徴とする請求項１に記載の排泄物処理装置。
【請求項３】
前記タンク部より汚水を排出して水位の上昇を抑えるための前記洗浄器が有する排水機構を形成するオーバーフロー排水口と、前記移動式処理装置の前記荷台部上に設置された汚水タンクが備えるオーバーフローホースとが接続可能であることを特徴とする請求項１または請求項２に記載の排泄物処理装置。
【請求項４】
前記移動式処理装置の前記荷台部上に設置された汚水タンクには、該汚水タンクに溜まった汚水等を排出するための排出機構が接続されていることを特徴とする請求項１ないし請求項３のいずれかに記載の排泄物処理装置。
【請求項５】
前記洗浄器の前記本体の上面には、前記便座部の後部から前記本体の後方にかけて上方に傾斜する傾斜面が設けられ、該傾斜面上に弾性を有する背当て部が設けられていることを特徴とする請求項１ないし請求項４のいずれかに記載の排泄物処理装置。
【請求項６】
前記移動式処理装置が駆動部を有することを特徴とする請求項１ないし請求項５のいずれかに記載の排泄物処理装置。
【請求項７】
前記移動式処理装置に、ホースが束ねられたホース束を載置するためのスタンドが設けられていることを特徴とする請求項１ないし請求項６のいずれかに記載の排泄物処理装置。
【請求項８】
前記移動式処理装置の前記荷台部上に設置された給水タンクに接続されたポンプが、ハンドシャワー部が設けられたホースを備えることを特徴とする請求項１ないし請求項７のいずれかに記載の排泄物処理装置。
【請求項９】
荷台部を備える台車部と前記荷台部上に設置されたリフト部を有し、該リフト部は台座部と、前記荷台部上に設置され前記台座部を昇降可能なジャッキ部と、前記台座部上に設置された複数のコンベアとを備え、複数の該コンベア上に前記洗浄器を載置可能であり、前記コンベアの少なくとも１つ以上が前記台座部の左右方向から引き出し可能である運搬装置を有することを特徴とする請求項１ないし請求項８のいずれかに記載の排泄物処理装置。
【発明の詳細な説明】
【技術分野】
【０００１】
本発明は、被介護者の排泄物を容易に処理することができる排泄物処理装置に関する。
【背景技術】
【０００２】
寝たきりの患者や老人等の被介護者については、自らの移動が困難であるため、自宅や病院のベッドからトイレまでの移動は介護者が補助しなければならず、その作業は重労働である。その介護者の重労働を軽減するため、従来から被介護者を移動させることなく被介護者の排泄物を容易に処理することができる種々の装置が提案されている。具体的には、移動が容易であるポータブルトイレや、排泄口及び汚水回収タンクが一体的に備えられているベッドや、被介護者の股間部に装着して使用する排泄補助具などがある。
【先行技術文献】
【特許文献】
【０００３】
【特許文献１】特開２００８−１４２２４３号公報
【特許文献２】特開２００９−０７２３７１号公報
【特許文献３】特開２０１０−０１７２４８号公報
【０００４】
しかし、引用文献１に係る排泄補助具については、被介護者の排泄物を洗浄水で押し流す機能を有するが、その機能が不十分であるため排泄物の一部が完全に流れきらず、臭気が発生する原因になっていた。
【０００５】
また、引用文献２に係るベッド装置についても、汚水回収タンクの排泄物から生じる臭気により居住性が悪化するという問題が生じていた。また、引用文献３に係る可動式便器ユニットについては、脱臭設備を備えているものの、排泄物は依然として収容容器内に存在するため、臭気の問題は十分に解決されてはいなかった。
【０００６】
そこで本発明は、上記のような問題点を解消するものであり、被介護者の使用するベッド上で使用できるため、介護者の排便処理の負担を大きく軽減することができるとともに、被介護者の排便後の臭気の発生を確実に防止することができる排泄物処理装置を提供することを目的とする。また、被介護者が使用するベッドを汚すことなく被介護者の排便後の陰部等の洗浄を可能とし、被介護者の肌を清潔に保ち肌荒れを防止することができる排泄物処理装置を提供することを目的とする。
【発明の概要】
【課題を解決するための手段】
【０００７】
上記の目的を達成するため、本願の請求項１に係る発明は、洗浄器と移動式処理装置を有する排泄物処理装置であって、前記洗浄器は略直方体状の本体と、該本体の内部に設置され開口部がその上面に位置するタンク部と、該タンク部内を移動可能なシャワー部を備える洗浄装置と、該洗浄装置に水または温水を供給する給水機構と、前記開口部を覆う便座部と、前記タンク部より汚水等を排出する排水機構を有し、前記移動式処理装置は台車部と、該台車部の荷台部上に設置され汚水ホースを備えるとともに空気圧縮機が接続された汚水タンクと、前記荷台部上に設置され給水ホースを備えるポンプが接続された給水タンクを有し、前記排水機構が前記汚水ホースと、前記給水機構が前記給水ホースとそれぞれ接続可能であることを特徴とする。
【０００８】
また、本願の請求項２に係る発明は、前記洗浄器が前記タンク部に水または温水を供給する給水機構を有し、該給水機構と、前記移動式処理装置の前記荷台部上に設置された給水タンクに接続されているポンプが備える給水ホースとが接続可能であることを特徴とする。
【０００９】
また、本願の請求項３に係る発明は、前記タンク部より汚水を排出して水位の上昇を抑えるための前記洗浄器が有する排水機構を形成するオーバーフロー排水口と、前記移動式処理装置の前記荷台部上に設置された汚水タンクが備えるオーバーフローホースとが接続可能であることを特徴とする。
【００１０】
また、本願の請求項４に係る発明は、前記移動式処理装置の前記荷台部上に設置された汚水タンクには、該汚水タンクに溜まった汚水等を排出するための排出機構が接続されていることを特徴とする。
【００１１】
また、本願の請求項５に係る発明は、前記洗浄器の前記本体の上面には、前記便座部の後部から前記本体の後方にかけて上方に傾斜する傾斜面が設けられ、該傾斜面上に弾性を有する背当て部が設けられていることを特徴とする。
【００１２】
また、本願の請求項６に係る発明は、前記移動式処理装置が駆動部を有することを特徴とする。
【００１３】
また、本願の請求項７に係る発明は、前記移動式処理装置に、ホースが束ねられたホース束を載置するためのスタンドが設けられていることを特徴とする。
【００１４】
また、本願の請求項８に係る発明は、前記移動式処理装置の前記荷台部上に設置された給水タンクに接続されたポンプが、ハンドシャワー部が設けられたホースを備えることを特徴とする。
【００１５】
また、本願の請求項９に係る発明は、荷台部を備える台車部と前記荷台部上に設置されたリフト部を有し、該リフト部は台座部と、前記荷台部上に設置され前記台座部を昇降可能なジャッキ部と、前記台座部上に設置された複数のコンベアとを備え、複数の該コンベア上に前記洗浄器を載置可能であり、前記コンベアの少なくとも１つ以上が前記台座部の左右方向から引き出し可能である運搬装置を有することを特徴とする。
【発明の効果】
【００１６】
上記構造により、請求項１に係る発明によれば、被介護者が使用するベッドの上に洗浄器を設置するとともに移動式処理装置をベッドの横付近に移動させ、洗浄器と移動式処理装置を汚水ホースや給水ホースで接続した後に被介護者を便座部上に乗せることで、被介護者をベッドから移動させる事無く排便させることが可能となり、また、排便後の被介護者の陰部やその周辺をシャワー部によって下から洗浄することが可能となるため、介護者の排便処理の負担を大きく軽減することができるとともに、被介護者の使用するベッドを清潔に保ちつつ被介護者の陰部等も清潔に保ち肌荒れを防止することができる。
【００１７】
また、被介護者の排泄物や臀部等の洗浄により生じた汚水を密閉された汚水タンク内に回収することができるため、被介護者の排便後における臭気の発生を確実に防止することができる。
【００１８】
請求項２に係る発明によれば、洗浄器のタンク部内に水または温水を供給することができるため、被介護者の排便前にタンク部内に水を張っておくことで、排便後に収容した排泄物がタンク部の内周面に張り付いて汚れるのを防止することができる。また、タンク部内からの汚水や排泄物の排水後には、タンク部内を洗浄することができる。そして、このようにしていつもタンク部内を清潔に保つことで臭気の発生を防止することができるとともに、介護者のタンク部内の清掃の負担を軽減することができる。
【００１９】
請求項３に係る発明によれば、洗浄器のタンク部内の汚水の水位が上昇してある一定以上となると、汚水をオーバーフローホースを通じて汚水タンク内に導くことができるため、被介護者の陰部等の洗浄に多くの水または温水を使用した場合であっても、わざわざ洗浄作業を中止して洗浄器のタンク部から汚水等を汲み出す必要がないため、介護者の作業負担が軽減される。
【００２０】
請求項４に係る発明によれば、汚水タンクに溜めた汚水等を排水機構により排出することができ、また、汚水タンクの内部の洗浄が容易となる。そのため、汚水タンクの内部をいつも清潔に保つことができ、臭気の発生を防止することができる。
【００２１】
請求項５に係る発明によれば、洗浄器によって被介護者の臀部及び背中を支持して被介護者を安定させることができるため、介護者の洗浄作業が容易となる。
【００２２】
請求項６に係る発明によれば、介護者が移動式処理装置を所望の場所へ容易に移動させることができるため、介護者の洗浄作業のための準備の負担が軽減される。
【００２３】
また、請求項７に係る発明によれば、移動式処理装置に設置された汚水タンクが備える汚水ホース等を束ねたホース束をスタンドに載置することができるため、被介護者の洗浄作業の終了後に汚水ホース等から汚水が垂れ落ちるのを防止することができ、排泄物処理装置を清潔に保つことができる。
【００２４】
また、請求項８に係る発明によれば、水または温水を排出するハンドシャワー部により被介護者の陰部及びその周囲を上からも洗浄することができるため、被介護者の陰部等を更に清潔に保つことができ、肌荒れを防止することができる。
【００２５】
請求項９に係る発明によれば、洗浄器を安全かつ容易に所望の場所まで運搬し設置することができるため、介護者の洗浄作業の負担を軽減することができる。
【図面の簡単な説明】
【００２６】
【図１−１】本発明に係る洗浄器の正面図である。
【図１−２】本発明に係る洗浄器の平面図である。
【図２−１】本発明に係る運搬装置の正面図である。
【図２−２】本発明に係る運搬装置の平面図である。
【図３−１】洗浄器を運搬装置に載せた際の正面図である。
【図３−２】洗浄器を運搬装置に載せた際の平面図である。
【図４−１】洗浄器を載せた運搬装置をベッドの横に移動させた図である。
【図４−２】洗浄器を載せた運搬装置からベッドに向けてローラコンベアを引き出した際の図である。
【図４−３】運搬装置からベッドへの洗浄器の移動途中の図である。
【図４−４】運搬装置からベッドへの洗浄器の移動が完了した際の図である。
【図５−１】本発明に係る移動式処理装置の正面図である。
【図５−２】本発明に係る移動式処理装置の平面図である。
【図６−１】吊り具を使用して被介護者をベッドから吊り上げた際の図である。
【図６−２】ベッド上に設置した洗浄器の上に被介護者を下した際の図である。
【図６−３】本発明に係る排泄物処理装置の使用状態図である。
【図７−１】本発明に使用する他の吊り具の平面図である。
【図７−２】本発明に使用する他の吊り具の被介護者への装着状態図である。
【図７−３】他の吊り具を使用して被介護者をベッドから吊り上げた際の図である。
【発明を実施するための形態】
【００２７】
以下、本発明に係る排泄物処理装置１について、図１−１から図７−３に従って説明する。尚、以下では本発明に係る実施態様を詳細に説明するが、本発明はこれに限定されるものではない。また、説明の便宜上、正面図及び平面図における左方向を前方、右方向を後方と称し、平面図における上方を右側、下方を左側と称する。本発明に係る排泄物処理装置１は、洗浄器２と運搬装置３と移動式処理装置４からなる。
【００２８】
洗浄器２は、図１−１及び図１−２に示すように、本体５と、その内部のほぼ中央に収容され水や汚水や排泄物を貯めておくタンク部６と、本体５の内部であってタンク部６の後方に位置する洗浄装置８と、洗浄装置８の隣に位置するバッテリー７と、タンク部６の開口部１２を覆う便座部９と、便座部９の後方に位置する背当て部１１を有する。
【００２９】
本体５は略直方体状の部材であって、その上面上の中央やや前方寄りの位置には便座部９が設けられ、本体５の上面の中央やや後方寄りの位置には便座部９のすぐ後部から本体５の後方にかけて上方に傾斜する傾斜面１０が設けられている。そして、その傾斜面１０上には横長略長方形状であって厚みを有する弾性体からなる背当て部１１が設けられている。
【００３０】
上記構造により、被介護者１０１を本体５に乗せたときに、被介護者１０１の臀部を便座部９で支えるとともに、背中を背当て部１１で支えることができるため、被介護者１０１を安定した状態で支えながら陰部及びその周辺を洗浄することができ、被介護者１０１の洗浄作業が容易となる。
【００３１】
タンク部６は、本体５の内部に設置された略半卵形状の部材であって、外形が略卵形である開口部１２が本体５の上面に形成されている。そして、本体５の上面の開口部１２が形成された位置のすぐ上方に便座部９が設置されている。尚、タンク部６の後端部における高さ方向の中程には、後方に突出する収容部６ａが形成されている。
【００３２】
便座部９は、外形が開口部１２と相似の略卵形であって、便座部９の外周の方が開口部１２の外周よりもやや大きめに形成されている。そのため、便座部９によって開口部１２の外周縁が覆われた状態となっている。また、便座部９は全体が円環状の部材であって、その座面には、座面上に流れ落ちた水を下方に位置するタンク部６内へ導くための排水孔１３が複数箇所に形成されている。
【００３３】
また、便座部９は、その座面上に座った被介護者１０１の臀部が本体５の前方に向かってずれないように、便座部９の前方の座面の高さがその後方の座面の高さよりも高くなるように、即ち、便座部９の前方の厚さがその後方の厚さに比べて厚くなるように形成されている。
【００３４】
また、タンク部６の後方上部には給水口１４が設けられている。一方、本体５の正面側（図１−１参照）の側面における後方上部には給水プラグ１５が設けられ、その給水プラグ１５には本体５内へ延びるホース１６が接続されており、給水機構である第１の給水機構１８ａを形成している。そして、給水口１４と第１の給水機構１８ａのホース１６が接続されている。
【００３５】
上記構造により、洗浄器２の外部からタンク部６内に水を供給することができる。具体的には、給水口１４からタンク部６の内周面に沿って旋回させつつ流下させるように水を供給することができる。そのため、被介護者１０１の排便及び陰部等の洗浄の前にタンク部６内に水を張って、タンク部６の内周面に排泄物が張り付いて汚れるのを防止することができる。また、タンク部６内からの汚水や排泄物の排出後は、タンク部６内を洗浄することができる。そのため、いつもタンク部６内を清潔に保つことで臭気の発生を防止することができるとともに、介護者のタンク部６内の清掃の負担を軽減することができる。
【００３６】
本体５内部のタンク部６のすぐ後方の位置には、被介護者１０１の陰部等を下から洗浄するためのシャワー部１９を備える洗浄装置８が設けられている。また、そのシャワー部１９は、使用前はタンク部６内の収容部６ａに収容されている（図１−１，図１−２参照）。また、洗浄装置８はバッテリー７と電気的に接続されている。そのため、シャワー１９を使用する際は、本体５の正面側の側面における後方下部に設けられた洗浄装置８の操作部８ａを操作して、洗浄装置８をバッテリー８６を電源として作動させ、シャワー部１９をタンク部６の収容部６ａ内から中心方向（前方）に向かって水平移動（一点鎖線参照）させたり、シャワー部１９から温水を出したり止めたりして使用する。尚、バッテリー７は充電可能であるため、繰り返し使用することができる。
【００３７】
また、本体５の正面側の側面の後方上部には給水プラグ２１が設けられ、その給水プラグ２１には本体５内へ延びるホース２２が接続されており、給水機構である第２の給水機構１８ｂを形成している。そして、洗浄装置８と第２の給水機構１８ｂのホース２２が接続されている。
【００３８】
上記構造により、洗浄器２の外部から洗浄装置８が有するシャワー部１９に温水を供給することができる。そのため、被介護者１０１を便座部９に座らせて排便させた後、被介護者１０１の陰部等を下方からシャワー部１９によって温水を出すことにより洗浄することができ、被介護者１０１の陰部等を清潔に保つことができるとともに、焼け等の肌荒れを防止することができる。
【００３９】
また、タンク部６の収容部６ａにおいてシャワー部１９が設けられている高さよりも低い位置に、排水口２４が設けられている。一方、本体５の正面側の側面における中央寄りの位置であって排水口２４が設けられた高さよりも低い位置に、オーバーフロー排水口であるオーバーフロー排水プラグ２５が設けられ、そのオーバーフロー排水プラグ２５に本体５内へ延びるホース２６が接続されており、排水機構である第１の排水機構３０ａを形成している。そして、排水口２４と第１の排水機構３０ａのホース２６が接続されている。
【００４０】
この第１の排水機構３０ａにより、タンク部６内に汚水が溜まって水位が上昇した場合であっても、水位が上昇しすぎてタンク部６から汚水が溢れ出たりシャワー部１９が汚水に浸かってしまわないように、汚水を排水口２４から第１の排水機構３０aを通して洗浄器２の外へ排水することができるため、水位の上昇を抑えることができる。よって、被介護者１０１の陰部等の洗浄に多くの水または温水を使用した場合であっても、わざわざ洗浄作業を中止してタンク部６内から汚水を汲み出す必要がないため、介護者の洗浄作業の負担が軽減される。
【００４１】
尚、排水口２４には、その排水口２４を覆う目の細かいネット２４ａが設けられている。そのため、排泄物は排水口２４内に浸入することができず、排水口２４からは専ら汚水のみが排水される。
【００４２】
タンク部６の後方であってその底面と接する位置に、排水口２７が設けられている。一方、本体５の正面側の側面における中央からやや後方寄りの位置には、排水プラグ２８が設けられ、その排水プラグ２８に本体５内へ延びるホース２９が接続されており、排水機構である第２の排水機構３０ｂを形成している。そして、排水口２７と第２の排水機構３０ｂのホース２９が接続されている。そのため、この第２の排水機構３０ｂにより、タンク部６内に溜まった汚水や排泄物を排水口２７から第２の排水機構３０ｂを通して排水プラグ２８より洗浄器２の外へ排水することができる。
【００４３】
尚、上記オーバーフロー排水プラグ２５や排水プラグ２８には、後述するオーバーフローホース６０のソケット６０ａや汚水ホース６２のソケット６２ａと接続，分離した際に自動的に開閉する自動開閉バルブ（図示せず）が内蔵されている。そのため、ソケット６０ａや６２ａと分離した際にオーバーフロー排水プラグ２５や排水プラグ２８からの汚水等の漏れ出しを防止することができる。
【００４４】
また、第１の排水機構３０ａ及び第２の排水機構３０ｂを通して、被介護者１０１の排泄物や陰部等の洗浄により生じた汚水を、後述する密閉された第１汚水タンク４８及び第２汚水タンク４９内に回収することができるため、被介護者１０１の陰部等の洗浄後における汚水や排泄物による臭気の発生を確実に防止することができる。
【００４５】
本体５の前方側及び後方側の側面の中央には、洗浄器２を持ち上げて移動させる際に使用する取っ手部３１が設けられている。尚、この取っ手部３１は、より狭い空間でも持ち運びができるように、取っ手部３１の手を掛けて握る部分を下方へ折りたたむことが可能な折り畳み式の取っ手部３１を使用してもよい。
【００４６】
尚、洗浄器２の本体５やタンク部６や便座部９は軽量の強化プラスチック製、具体的には炭素繊維強化プラスチック製やガラス繊維強化プラスチック製であることが望ましい。上記材質にすることにより、洗浄器２の軽量化が図られるため介護者が洗浄器２を容易に運搬することができ、介護者の負担を軽減することができる。
【００４７】
また、本体５の正面側の側面には複数の凹部５ａが形成され、その内部に操作部８ａ、給水プラグ１５，２１、オーバーフロー排水プラグ２５及び排水プラグ２８が設けられており、操作部８ａ等が本体５の正面側の側面から突出しない構造となっている。そのため、洗浄器２の左右方向の幅が狭くなっており（本実施例では６００ｍｍ）、一般的な住宅の廊下（幅が約７８０ｍｍ）においても運搬可能となっている。尚、洗浄器２の前後方向の長さは８３０ｍｍとなっている。
【００４８】
洗浄器２の運搬には運搬装置３が用いられる。この運搬装置３は、図２−１及び図２−２に示すように、台車部３２とリフト部３３からなる。台車部３２は、後述するジャッキ部４１の油圧シリンダ４１ｂが出入り可能な貫通孔３５ａを略中央に備える略長方形状の荷台部３５と、その荷台部３５の四隅に固定されたキャスター３４（前方に固定されたキャスター３４は荷台部３５に対して旋回可能）と、荷台部３５の前端部において荷台部３５に対して垂直方向に延びる略コの字状のハンドル部３６を有する。
【００４９】
また、荷台部３５上にはリフト部３３が設置されている。このリフト部３３は、荷台部３５の四隅付近において荷台部３５に対し垂直方向に延びるように固定された略円柱状の脚部４０と、荷台部３５よりもやや小さい略長方形状であって四隅付近に脚部４０の外径よりもやや大きめな内径を有するとともに脚部４０が挿通されている貫通孔３９を備える台座部３８と、荷台部３５上に設置され台座部３８を昇降可能な油圧式のジャッキ部４１と、台座部３８上に設置された複数のコンベアであるローラコンベア４２を有する。
【００５０】
上記リフト部３３の構造により、ジャッキ部４１のペダル部４１ａを数回踏み込んで油圧シリンダー４１ｂの全長を伸ばすことで、台座部３８を脚部４０に沿ってスライドさせながら安定した状態で上昇させることができる。一方、ジャッキ部４１の油圧シリンダー４１ｂのバルブ（図示せず）を緩めて油圧シリンダ４１ｂの全長を縮めることで、台座部３８を脚部４０に沿ってスライドさせながら安定した状態で下降させることができる。
【００５１】
ローラコンベア４２は、台座部３８上の前端部及び後端部付近の位置にそれぞれ二台ずつ設置されている。このローラコンベア４２は、図２−２に示すように、台座部３８の左右方向とローラコンベア４２の長さ方向（荷物搬送方向）が平行になるようにそれぞれ設置されている。このように設置することで、台座部３８の左右方向にローラコンベア４２上に載置した洗浄器２の移動（搬送）させることができる。
【００５２】
尚、本実施例ではコンベアとしてローラコンベア４２を使用しているが、ボールコンベアやベルトコンベアを使用しても良い。
【００５３】
また、台座部３８上の前端部付近及び後端部付近の位置にそれぞれ設置された二台のローラコンベア４２のうちの台座部３８の前端部側及び後端部側に位置するローラコンベア４２ａ，４２ａは、台座部３８の左右いずれの側からも引き出すことができる構造となっている。これに対し、台座部３８の中央側に位置するローラコンベア４２ｂ，４２ｂは動かないように台座部３８上に固定されている。
【００５４】
また、図２−１，図２−２に示すように、台座部３８におけるローラコンベア４２ａの長さ方向の両端部付近には固定孔４３がそれぞれ形成され、その固定孔４３に挿通可能な先端部を有するストッパーピン４４がチェーン４４ａにより台座部３８に連結されている。そのため、固定孔４３にストッパーピン４４を差し込むことで、ローラコンベア４２ａ，４２ａの長さ方向の移動が制限され、台座部３８の左右方向からの落下を防止することができる。
【００５５】
また、そのローラコンベア４２ａ，４２ａの前後方向には、脚部４０及び台座部３８の中央側のローラコンベア４２ｂ，４２ｂが位置するため、ローラコンベア４２ａの前後方向の移動が制限され、台座部３８の前後方向からの落下が防止される。。
【００５６】
尚、ローラコンベア４２ａ，４２ｂの長さは、洗浄器２の本体５の左右方向の幅とほぼ同じかやや長く形成されている。また、台座部３８の前端部側及び後端部側に位置するローラコンベア４２ａ，４２ａの間隔は、洗浄器２の本体５の前後方向の長さよりもやや短くなるように設置されている。そのため、洗浄器２をローラコンベア４２ａ，４２ｂ上に載置できるようになっている。
【００５７】
上記構造により、運搬装置３によって洗浄器２を所望の場所、例えばベッド１０２の上まで安全且つ容易に運搬し設置することができる。具体的にはまず、図３−１に示すように、ジャッキ部４１の油圧シリンダー４１ｂのバルブを緩め、台座部３８を一番下の位置まで下降させる。そして洗浄器２を台座部３８のローラコンベア４２ａ，４２ｂ上に載置する。
【００５８】
このとき、洗浄器２の本体５の前方及び後方の側面付近にはリフト部３３の脚部４０が位置するため、洗浄器２の前後方向の移動が制限された状態となる。また、台座部３８の固定孔４３にストッパーピン４４を差し込むことで、洗浄器２の右側及び左側の側面付近にストッパーピン４４が位置するため、洗浄器２の左右方向への移動が制限された状態となる（図３−１及び図３−２参照）。よって、運搬装置３に洗浄器２を固定することができるとともに運搬装置３からの落下を防止することができる。
【００５９】
そして、洗浄器２を載置した状態で運搬装置３を押してベッド１０２の横まで移動させた後（図４−１参照）、ジャッキ部４１のペダル部４１ａを踏んで台座部３８を所望の高さまで上昇させる。そして、台座部３８におけるベッド１０２側に位置するストッパーピン４４を引き抜き、洗浄器２を設置したいベッド１０２の上に台座部３８の前端部側及び後端部側に位置するローラコンベア４２ａ，４２ａをそれぞれ引き出し、その先端部をベッド１０２の上に設置する（図４−２参照）。
【００６０】
そして、洗浄器２を台座部３８上からベッド１０２の方向へ押し出すことでローラーコンベア４２ａ上を滑らせ、ベッド１０２の上に移動させる（図４−３参照）。最後に、洗浄器２の下からローラコンベア４２ａを引き抜いて台座部３８の上に押し戻すとともに、ローラーコンベア４２ａが台座部３８上から落下しないよう固定孔４３にストッパーピン４４を差し込むことで運搬装置３による洗浄器２の運搬が完了する（図４−４参照）。
【００６１】
上記の様に運搬装置３を使用して洗浄器２を運搬することで、介護者が洗浄器２を安全に且つ容易に所望の場所まで運搬し設置することができるため、介護者の作業負担を大きく軽減することができる。
【００６２】
尚、一般的な住宅の廊下（幅が約７８０ｍｍ）においても運搬装置３を使用できるように、本実施例の運搬装置３の左右方向の幅は６５０ｍｍ、前後方向の長さは９００ｍｍとなっている。
【００６３】
移動式処理装置４は、図５−１及び図５−２に示すように、台車部４６とその上に設置された第１汚水タンク４８、第２汚水タンク４９、水タンク５０、温水タンク５１、空気圧縮機５２、マグネットポンプ５３ａ，５３ｂ、排出機構５４、駆動部５５及び２つのバッテリー８６，８６を有する。
【００６４】
具体的には、台車部４６は前方の隅部付近にキャスター５６ａ、後方の隅部付近に駆動車輪５６ｂを備えた略長方形状の荷台部５８を有し、その荷台部５８の後端部において、荷台部５８に対し垂直方向に延びるとともに上端部において後方に向かって折れ曲がる水平部５９ａを備えるハンドル部５９を有する。そして、荷台部５８の上面の中央及び前方には、洗浄器２から流れてきた汚水や排泄物を収容する汚水タンクである略直方体状の第１汚水タンク４８（容積は約４８リットル）及び第２汚水タンク４９（容積は約１５リットル）が設置されている。
【００６５】
第１汚水タンク４８の上面の左側前方には、洗浄器２に連結し、タンク部６内に溜められた汚水を第１汚水タンク４８へと導くためのオーバーフローホース６０が上方に向けて延びるように設けられている。そのため、オーバーフローホース６０の先端に設けられたソケット６０ａをオーバーフロー排水プラグ２５に接続することで、タンク部６内の汚水を第１汚水タンク４８へと導くことができる。
【００６６】
尚、排泄物処理装置１の使用時は、図６−３に示すように、洗浄器２はベッド１０２の上に設置される一方、第１汚水タンク４８は台車部４６の荷台部５８上に設置されている。そのため、多くの場合は第１汚水タンク４８の上面よりも洗浄器２のオーバーフロー排水プラグ２５の方が高い場所に位置するため、洗浄器２のタンク部６内から第１汚水タンク４８に向けて汚水が流れ込みやすくなっている。
【００６７】
また、第１汚水タンク４８の上面の左側後方には、第１汚水タンク４８の内部を洗浄する際に水を内部に注入するための給水口６１が設けられ、水を注入するとき以外は内容物が漏れないように蓋が閉められている。そのため、第１汚水タンク４８は通常、密閉された状態となっているため、内部に汚水を溜めた状態であっても臭気の発生を確実に防止することができる。
【００６８】
第２汚水タンク４９の上面の右側前方には、洗浄器２に連結し、タンク部６内に溜められた汚水や排泄物を第２汚水タンク４９へと導くための汚水ホース６２が上方へ向けて延びるように設けられている。そのため、汚水ホース６２の先端に設けられたソケット６２ａを排水プラグ２８に接続することで、タンク部６内の汚水等を第２汚水タンク４９へと導くことができる。また、汚水ホース６２は排泄物を通過させるため、オーバーフローホース６０よりも内径が大きいホースを使用している。
【００６９】
尚、上記オーバーフローホース６０の先端のソケット６０ａや汚水ホース６２の先端のソケット６２ａには、オーバーフロー排水プラグ２５や排水プラグ２８と接続，分離した際に自動的に開閉する自動開閉バルブ（図示せず）が内蔵されている。そのため、オーバーフロー排水プラグ２５や排水プラグ２８と分離した際に、オーバーフローホース６０のソケット６０ａや汚水ホース６２のソケット６２ａから汚水等が漏れ出すのを防止することができる。
【００７０】
また、第２汚水タンク４９の上面の左側中央にはエアバブル６３が設けられている。また、その上面の略中央には空気圧縮機５２が設置され、エアバルブ６３とホース６５で接続されているとともに、バッテリー８６と電気的に接続されている。そのため、空気圧縮機５２をバッテリー８６を電源として作動させて第２汚水タンク４９内の気圧を大気圧よりも低い状態とし、汚水ホース６２の先端に設けられたソケット６２ａを洗浄器２の排水プラグ２８に接続することで、洗浄器２のタンク部６内の汚水等を第２汚水タンク４９に導くことができる。尚、バッテリー８６は充電可能であるため、繰り返し使用することができる。
【００７１】
尚、排泄物処理装置１の使用時は、図６−３に示すように、洗浄器２はベッド１０２の上に設置される一方、第２汚水タンク４９は台車部４６の荷台部５８上に設置されている。そのため、多くの場合は第２汚水タンク４９の上面よりも洗浄器２の排水プラグ２８の方が高い場所に位置するため、洗浄器２のタンク部６内から第２汚水タンク４９に向けて汚水等が更に流れ込みやすくなっている。
【００７２】
また、第２汚水タンク４９の上面の左側後方には、第２汚水タンク４９の内部を洗浄する際に水を内部に注入するための給水口６６が設けられ、水を注入するとき以外は内容物が漏れないように蓋が閉められている。そのため、第２汚水タンク４９は通常、密閉された状態となっているため、内部に汚水等を溜めた状態であっても臭気の発生を確実に防止することができる。
【００７３】
第１汚水タンク４８及び第２汚水タンク４９は排出機構５４に接続されている。この排出機構５４は、排水管６９と、ボールバルブ７０とホースリール７１を有する。排水管６９は一端が二つに分岐しており、一方は第１汚水タンク４８におけるテーパが設けられている底面に接続されており、他方は第２汚水タンク４９におけるテーパが設けられている底面に接続されている。また、排水管６９の他端はボールバルブ７０の一端に接続されている。そのため、ボールバルブ７０のレバー７０ａを操作して内蔵されているバルブ（図示せず）を開閉することで、第１汚水タンク４８及び第２汚水タンク４９から排水管６９に流れ込んできた汚水等を堰き止めたり通過させたりすることが可能となっている。
【００７４】
また、ボールバルブ７０の他端には、ホースリール７１の接続部７１ａが接続されている。また、接続部７１ａと連通しているホース７１ｂが巻き取られた状態でケース７１ｃ内に収容されている。尚、ホースリール７１は、ホース７１ｂをケース７１ｃ内から引き出したり、巻き取ってケース７１ｃ内に収容することが可能な構造となっている。
【００７５】
上記構造により、洗浄器２のタンク部６内から回収した汚水等を移動式処理装置４の外部へ排出することができる。具体的には、第１汚水タンク４８に回収した汚水は、第１汚水タンク４８の底面に設けられたテーパによって排出機構５４の排水管６９に流れ込む。一方、第２汚水タンク４９に回収した汚水及び排泄物も、第２汚水タンク４９の底面に設けられたテーパによって排出機構５４の排水管６９に流れ込む。
【００７６】
その後、ボールバルブ７０のレバー７０ａを操作して閉まっていたバルブを開くことで、堰き止めていた汚水等をホースリール７１の接続部７１ａに誘導し、最後はホース７１ｂの先端部から排出させることができる。
【００７７】
尚、第２汚水タンクに回収した排泄物によって排水管６９が詰まる可能性があるため、ボールバルブ７０のレバー７０ａを操作してバルブを開く前に、空気圧縮機５２を作動させて第２汚水タンク４９内の気圧を大気圧よりも高い状態にして、第２汚水タンク４９内の汚水等を強制的に押し出して排水管６９を通過させ、ホース７１ｂの先端部から排出させる。
【００７８】
また、汚水等の排出後に、第１汚水タンク４８の給水口６１及び第２汚水タンク４９の給水口６６から水を注入して第１汚水タンク４８及び第２汚水タンク４９内を洗浄することにより生じる洗浄水（汚水及び排泄物を含む）についても、上記の汚水等を排出させる場合と同様の作業を行うことで、ホース７１ｂの先端から排出させることができる。そのため、第１汚水タンク４８及び第２汚水タンク４９の内部を清潔に保つことができ、臭気が発生するのを防止することができる。
【００７９】
荷台部５８の上面の後方には、洗浄器２へ送り出すための水を収容する給水タンクである略直方体状の水タンク５０（容積は約１５リットル）が設置されている。この水タンク５０の上面の左側中央には、水タンク５０内に収容した水を吸い上げるためのホース５７ａが上方に延びるように設けられている。また、その上面の中央後方にはマグネットポンプ５３ａが設置され、ホース５７ａと接続されているとともにバッテリー８６と電気的に接続されている。また、マグネットポンプ５３ａには、洗浄器２の給水プラグ１５と接続可能なソケット７３ａを先端に有する給水ホース７３が設けられている。そのため、マグネットポンプ５３ａをバッテリー８６を電源として作動させることで水タンク５０内の水を吸い上げ、洗浄器２に供給することができる。
【００８０】
また、水タンク５０の上面の左側後方には、水タンク５０内に水を注入するための給水口７４が設けられ、水を注入するとき以外は水が漏れないように蓋が閉められている。
【００８１】
第１汚水タンク４８と水タンク５０の上面には、洗浄器２へ送り出すための温水を収容する給水タンクである略直方体状の温水タンク５１（容積は約４０リットル）が設置されている。この温水タンク５１の上面の左側前方には、温水タンク５１内に収容した温水を吸い上げるためのホース５７ｂが上方へ延びるように設けられている。また、その上面の中央前方にはマグネットポンプ５３ｂが設置され、ホース５７ｂと接続されているとともにバッテリー８６と電気的に接続されている。また、マグネットポンプ５３ｂには、洗浄器２の給水プラグ２１と接続可能なソケット７６ａを先端部に有する給水ホース７６が設けられている。そのため、マグネットポンプ５３ｂをバッテリー８６を電源として作動させることで温水タンク５１内の温水を吸い上げ、洗浄器２に供給することができる。
【００８２】
尚、温水タンク５１は、バッテリー８６と電気的に接続されており、バッテリー８６を電源としてその内部に注入された水を温めて温水を作る機能を備えている（図示せず）。
【００８３】
また、温水タンク５１の上面の左側中央付近には、温水タンク５１内に水を注入するための給水口７８が設けられ、水を注入するとき以外は水が漏れないように蓋が閉められている。
【００８４】
また、給水ホース７６は途中で二手に分かれ、その一方の先端部にはハンドシャワー部７９が設けられている。そして、マグネットポンプ５３ｂを作動させつつハンドシャワー部７９を操作することにより、温水を出したり止めたりすることができる。そのため、被介護者１０１の陰部及びその周辺をハンドシャワー部７９により温水で上からも洗浄することができるため、被介護者１０１の陰部等を更に清潔に保つことができるとともに、肌荒れを防止することができる。
【００８５】
オーバーフローホース６０、汚水ホース６２、給水ホース７３，７６は、図５−１，図５−２に示すように、結束バンド８０により一体に束ねられてホース束８１が形成されている。
【００８６】
温水タンク５１の上面の右端の位置には、その上面に対し垂直方向に延びる二つのスタンド８２，８２が前後方向に並んで設置されている。また、そのスタンド８２の上端部には円弧状に凹んだ載置部８３が形成され、その載置部８３にホース束８１が載置できるようになっている。
【００８７】
尚、図５−１に示すように、ホース束８１をスタンド８２の載置部８３に載置したときに、ホース束８１を形成するオーバーフローホース６０等の先端が、やや上を向く状態となって支持され、オーバーフローホース６０の先端のソケット６０ａや汚水ホース６２の先端のソケット６２ａ内に残った汚水等が垂れ落ちないよう、温水タンク５１の上面の後方に設置されたスタンド８２の載置部８３の方が前方に設置されたスタンド８２の載置部８３よりも高い位置に形成されている。
【００８８】
上記スタンド８２の構造により、移動式処理装置４を使用していないときに、スタンド８２の載置部８３上にオーバーフローホース６０、汚水ホース６２、給水ホース７３，７６を結束バンド８０で束ねたホース束８１を載置しておくことで、オーバーフローホース６０等の先端から汚水等が垂れ落ちるのを防止することができるため、移動式処理装置４を常に清潔に保つことができる。
【００８９】
また、温水タンク５１の上面の中央付近には、上端部にハンドシャワー部７９を載置可能な載置部を有するスタンド８４が設置されている。
【００９０】
移動式処理装置４は電動式で操作レバー８５により操縦可能となっている。具体的には、荷台部５８の後端部の中央に、駆動車輪５６ｂを駆動するための駆動部５５が設置され、その左右両側にはバッテリー８６，８６が設置され、駆動部５５とバッテリー８６は電気的に接続されている。また、ハンドル部５９の水平部５９ａには、駆動部５５及びバッテリー８６と電気的に接続された操作レバー８５が設置されている。そのため、操作レバー８５を操作してバッテリー８６を電源として駆動部５５を作動させることで、移動式処理装置４を前後方向に移動させることができる。また、台車部４６の前方に設けられたキャスター５６ａは荷台部５８に対して旋回可能な構造であるため、ハンドル部５９を左右に切ることで移動処理装置４の方向転換が可能となっている。
【００９１】
上記構造により、介護者が移動式処理装置４を所望の場所へ容易に移動させることができる。そのため、被介護者１０１の陰部等を洗浄するための介護者の作業負担を軽減することができる。
【００９２】
尚、一般的な住宅の廊下（幅が７８０ｍｍ）においても移動式処理装置４を使用できるように、本実施例の移動式処理装置４の左右方向の幅は６４０ｍｍ、前後方向の長さは８７０ｍｍとなっている。
【００９３】
次に、本発明に係る排泄物処理装置１を用いた被介護者１０１の陰部等の洗浄方法について説明する。まず、被介護者１０１が寝ているベッド１０２の脇まで洗浄器２を運搬装置３を押して移動させる。具体的には、図３−１及び図３−２に示すように、運搬装置３のジャッキ部４１の油圧シリンダー４１ｂのバルブを緩め、台座部３８を一番下の位置まで下降させる。そして、運搬装置３を洗浄器２の保管場所まで移動させ、台座部３８上に設置された４本のローラコンベア４２ａ，４２ｂの上に洗浄器２を載置する。そして、台座部３８の全ての固定孔４３にストッパーピン４４を差し込み、洗浄器２を運搬装置３に固定する。
【００９４】
そして、図４−１に示すように、運搬装置３のハンドル部３６を押して洗浄器２を被介護者１０１が寝ているベッド１０２のすぐ横まで移動させる。このとき、ベッド１０２の長さ方向と洗浄器２の前後方向が平行となるように運搬装置３を配置する。その後、ベッド１０２の上に洗浄器２を設置し、被介護者１０１を洗浄器２の上に乗せる作業を行うが、本実施例では介護者の作業負担を軽減することができるとともに被介護者１０１のベッド１０２を清潔に保つことができるように、吊り具１０３とリフト装置１０４を使用する。
【００９５】
図６−１に示すように、ベッド１０２上で寝ている被介護者１０１の下半身の衣服及びおむつを脱がせるとともに、吊り具１０３をベッド１０２と被介護者１０１との間に敷いて被介護者１０１に吊り具１０３を装着させ、ベッド１０２の周囲に設置したリフト装置１０４により吊り具１０３を吊ることで被介護者１０１を吊り上げる。
【００９６】
このとき使用する吊り具１０３は、図６−１に示すような、被介護者１０１を吊り上げたときに被介護者１０１の胴体部から大腿部に至るまでの部分を背中側から包んだ（覆った）状態とすることができる一方で、臀部が晒された状態とすることができるシート部１０３ａを有する吊り具１０３であって、シート部１０３ａの全体が防水加工されているものを使用する。
【００９７】
そして、ベッド１０２の上に洗浄器２を設置できる高さまで被介護者１０１を吊り上げる。このとき、被介護者１０１の頭部が臀部よりも高い位置となるように吊り具１０３の吊り紐１０３ｂの長さを調節しながら吊り上げる。
【００９８】
そして、図４−２に示すように、運搬装置３のジャッキ部４１のペダル部４１ａを踏んで台座部３８を上昇させた後、台座部３８のにおけるベッド１０２側に位置するストッパーピン４４を引き抜き、台座部３８の前端部側及び後端部側に位置するローラコンベア４２ａ，４２ａをそれぞれベッド１０２の上に引き出すとともにその先端部をベッド１０２の上に設置する。
【００９９】
このとき、台座部３８の高さは洗浄器２を設置するベッド１０２の高さよりも５ｃｍ〜７ｃｍ程度高い位置まで上昇させておく。こうすることで、引き出したローラコンベア４２ａにベッド１０２の側へ下る傾斜がつくため、大きな力を使わずとも容易にローラーコンベア４２ａ上を滑らせて洗浄器２をベッド１０２の上へ移動させることができる。尚、ベッド１０２の上には、洗浄器２による被介護者１０１の陰部等の洗浄作業によってベッド１０２が濡れないようにするため、防水シート（図示せず）を敷いておくことが望ましい。
【０１００】
そして、図４−３に示すように、洗浄器２を台座部３８上からベッド１０２の方向へ押し出し、引き出したローラコンベア４２ａの上を滑らせながら洗浄器２をベッド１０２の中央まで移動させる。その後、洗浄器２の下からローラコンベア４２ａを引き抜いて台座部３８の上に押し戻す（図４−４参照）。そして、ローラーコンベア４２ａが台座部３８上から落下しないよう固定孔４３にストッパーピン４４を差し込み、洗浄器２を使用する際に邪魔にならない位置まで運搬装置３を移動させる。
【０１０１】
次に、駆動部５５を駆動させて、ハンドル部５９及び操作レバー８５を操作しながら移動式処理装置４を、図６−３に示すように、ベッド１０２の横付近まで移動させる。このとき、第１汚水タンク４８及び第２汚水タンク４９は空の状態である一方、水タンク５０及び温水タンク５１にはそれぞれの給水口７４，７８から水タンク５０及び温水タンク５１が一杯になるまで水が注入されている状態にしておく。また、温水タンク５１に注入された水は温めて、温水となった状態にしておく。
【０１０２】
そして、空気圧縮機５２と第２汚水タンク４９のエアーバルブ６３をホースで６５で接続し、空気圧縮機５２を作動させて第２汚水タンク４９内の気圧を大気圧よりも低い状態にしておく。また、水タンク５０の上面から上方に延びるホース５７ａとマグネットポンプ５３ａ、及び温水タンク５１の上面から上方に延びるホース５７ｂとマグネットポンプ５３ｂをそれぞれ接続しておく。
【０１０３】
また、ボールバルブ７０のレバー７０ａを操作してバルブを閉め、第１汚水タンク４８と第２汚水タンク４９から排水管６９に流れ込んできた汚水等を堰き止めておける状態としておく。
【０１０４】
次に、スタンド８２の載置部８３からホース束８１を下すとともに、図６−３に示すように、ホース束８１を形成するそれぞれのホースの先端部を洗浄器２と連結させる。具体的には、オーバーフローホース６０の先端部のソケット６０ａはオーバーフロー排水プラグ２５に、マグネットポンプ５３ａ，５３ｂから延びる給水ホース７３，７６の先端部のソケット７３ａ，７６ａはそれぞれ給水プラグ１５，２１に接続する。
【０１０５】
尚、この時点では、汚水ホース６２の先端部のソケット６２ａは排水プラグ２８に接続しない。そのため、排水プラグ２８及びソケット６２ａの自動開閉バルブは閉じた状態となっている。一方、オーバーフロー排水プラグ２５及びオーバーフローホース６０のソケット６０ａの自動開閉バルブは開いた状態となっている。
【０１０６】
そして、洗浄器２のタンク部６内に水を注入する。具体的には、マグネットポンプ５３ａを作動させて水タンク５０内の水を吸い上げ、給水ホース７３から第１の給水機構１８ａを通じて給水口１４よりタンク部６内に水を注入してタンク部６内に約５リットル分の水を張り、その後マグネットポンプ５３ａを停止させる。このようにして事前にタンク部６内に水を張ることで、タンク部６の内周面に排泄物が張り付いて汚れるのを防止することができる。尚、このときのタンク部６内の水位は、排水口２４よりもやや低い高さとなっている。
【０１０７】
次に、図６−２に示すように、リフト装置１０４を操作して、被介護者１０１の臀部の位置が便座部９の上に、背中の位置が背当て部１１の上にくるように調節して、被介護者１０１を洗浄器２の上に下す。その後、被介護者１０１に排便を行わせる。
【０１０８】
次に、洗浄器２の洗浄装置８の操作部８ａを操作することにより、シャワー部１９をタンク部６の収容部６ａの位置（図１−１の点線位置）から中心に向かって移動させ、被介護者１０１の陰部の真下の位置(図１−１の一点鎖線位置）まで移動させる。そして、マグネットポンプ５３ｂを作動させて温水タンク５１内の温水を吸い上げ、給水ホース７６から第２の給水機構１８ｂを通じて洗浄器８のシャワー部１９より温水を吐出させ、被介護者１０１の陰部及びその周辺を下から洗浄する。
【０１０９】
同時に、移動式処理装置４のハンドシャワー部７９をスタンド８４から下すとともに操作することで、ハンドシャワー部７９から温水を吐出させ、被介護者１０１の陰部及びその周辺を上から洗浄する。
【０１１０】
このとき、被介護者１０１を洗浄した際に生じた汚水（温水）は、洗浄器２のタンク部６内に収容される。具体的には、洗浄装置８のシャワー部１９により被介護者１０１の陰部及びその周辺を下から洗浄した際に生じた汚水は、そのままタンク部６内に落下して収容される。
【０１１１】
一方、移動式処理装置４のハンドシャワー部７９により被介護者１０１の陰部及びその周辺を上から洗浄した際に生じた汚水（温水）は、被介護者１０１の臀部の真下に位置するタンク部６内にそのまま落下するか、吊り具１０３のシート部１０３ａの上を流れてタンク部６内に向かって落下して、タンク部６内に収容される。
【０１１２】
このように被介護者１０１の陰部等を洗浄することにより、タンク部６内に汚水等が溜まり、その水位が上昇して収容部６ａに設けられた排水口２４の高さに達したとき、上記の様に第１汚水タンク４８の上面の方が洗浄器２のオーバーフロー排水プラグ２５よりも低い位置にあるため（図６−３参照）、汚水はタンク部６の排水口２４から第１の排水機構３０ａ及びオーバーフローホース６０を通って第１汚水タンク４８内にスムーズに流れ込む。
【０１１３】
被介護者１０１の陰部等の洗浄終了後は、マグネットポンプ５３ｂを停止させて温水の吸い上げを止め、洗浄器２の洗浄装置８の操作部８ａを操作することによりシャワー部１９を被介護者１０１の陰部の真下の位置から収容部６ａ内に向かって移動させるとともに、ハンドシャワー部７９をスタンド８４の載置部に載置する。そして、被介護者１０１の陰部やその周辺に付着した水滴及び吊り具１０３に付着した水滴を拭き取り、被介護者１０１を再びリフト装置１０４により吊り上げる。
【０１１４】
その後、洗浄器２のタンク部６内の汚水等を排出するため、汚水ホース６２の先端のソケット６２ａを排水プラグ２８に接続する。このとき、排水プラグ２８及びソケット６２ａの自動開閉バルブは開いた状態となる。また、上記の様に第２汚水タンク４９内の気圧は大気圧よりも低い状態であるとともに、第２汚水タンク４９の上面の方が洗浄器２の排水プラグ２８よりも低い位置にあるため（図６−３参照）、汚水等はタンク部６の排水口２７から第２の排水機構３０ｂ及び汚水ホース６２を通って第２汚水タンク４９内によりスムーズに流れ込む。
【０１１５】
汚水等の排水後、洗浄器２のタンク部６内の洗浄を行うため、マグネットポンプ５３ａを作動させて水タンク５０内の水を吸い上げ、給水ホース７３から第１の給水機構１８ａを通じて給水口１４よりタンク部６内に約１０リットル分の水を注入する。そして、その注入した水（汚水）もタンク部６の排水口２７から第２の排水機構３０ｂ及び汚水ホース６２を通して第２汚水タンク４９内へ排水する。
【０１１６】
タンク部６内の洗浄及び汚水の排水が終了した後は、空気圧縮機５２及びマグネットポンプ５３ａを停止させ、オーバーフローホース６０、汚水ホース６２、給水ホース７３，７６を洗浄器２から外し、スタンド８２の載置部８３にオーバーフローホース６０等のホース束８１を載置する。このとき、オーバーフローホース６０や汚水ホース６２の先端から汚水等が垂れ落ちないように、常にホース束８１の先端を上方に向けながら作業を行う。
【０１１７】
そして、ハンドル部５９及び操作レバー８５を操作しながら移動式処理装置４をベッド１０２の横付近から、第１汚水タンク４８及び第２汚水タンク４９内に収容した汚水等を排出してそれらのタンク内を清掃できるトイレ等へ移動させる。
【０１１８】
次に、ベッド１０２から洗浄器２を移動させる。具体的には、ハンドル部３６を押して運搬装置３をベッド１０２の脇まで移動させ、ベッド１０２の長さ方向と洗浄器２の前後方向が平行となるように配置する。そして、運搬装置３のジャッキ部４１の油圧シリンダー４１ｂのバルブを緩めて台座部３８をある高さまで下降させた後、台座部３８のベッド１０２側に位置するストッパーピン４４を引き抜き、台座部３８の前端部側及び後端部側に位置するローラコンベア４２ａ，４２ａをそれぞれベッド１０２上に引き出すとともに、その先端部を、洗浄器２を持ち上げながらその底面１７とベッド１０２の間へ差し込む。
【０１１９】
このときの台座部３８の高さは、洗浄器２が設置されているベッド１０２の高さよりも５ｃｍ〜７ｃｍ程度低い位置まで下降させておく。こうすることで、引き出したローラコンベア４２ａに運搬装置３の側へ下る傾斜がつくため、大きな力を使わずとも容易にローラコンベア４２ａ上を滑らせて洗浄器２を台座部３８の上へ移動させることができる。
【０１２０】
そして、洗浄器２をベッド１０２上から運搬装置３の方向へ押し出し、引き出したローラコンベア４２ａの上を滑らせながら洗浄器２を運搬装置３の台座部３８の上へ移動させる。その後、引き出したローラコンベア４２ａを台座部３８上に押し戻す。そして、ストッパーピン４４を固定孔４３に差し込んで洗浄器２及びローラーコンベア４２ａを運搬装置３に固定した後、運搬装置３を所定の保管場所まで移動させ、洗浄器２を運搬装置３から下すとともにそれらの外側の汚れを拭き取る。
【０１２１】
そして、ベッド１０２から洗浄器２を移動させた後、ベッド１０２の上に防水シート（図示せず）が敷いてある場合にはこれを取り除き、被介護者１０１をリフト装置１０４によりベッド１０２上に下し、被介護者１０１から吊り具１０３を外すとともに下半身の衣服及びおむつを履かせてベッドに寝かせることで、被介護者１０１の陰部の洗浄が終了する。
【０１２２】
尚、被介護者１０１を吊り上げる吊り具として、図７−１ないし図７−３に示すような吊り具１０５を使用してもよい。具体的に説明すると、吊り具１０５は、シート部１０５ａと吊り紐１０５ｂを有し、シート部１０５ａには胸部バンド１０５ｃ、脚部バンド１０５ｄ、排水孔１０５ｅ及び吊り紐固定部１０５ｆが設けられている。
【０１２３】
吊り具１０５は、その全体がポリエチレン等の防水機能を有する素材で作製されている。シート部１０５ａは略長方形状の薄いシート部材であって、そのシート部１０５ａの中央からやや前方寄りの位置に、便座部９の内周円とほぼ同じかやや小さい大きさの横長略楕円形状の排水孔１０５ｅが形成されている。また、シート部１０５ａの前端付近には、帯状の２つの脚部バンド１０５ｄ，１０５ｄがシート部１０５ａの後方へ向けてハの字状に開いた状態で固定されている。また、シート部１０５ａの中央からやや後方寄りの位置に、長さ方向がシート部１０５ａの左右方向と平行になるように帯状の胸部バンド１０５ｃが固定されている。
【０１２４】
帯状の胸部バンド１０５ｃ及び脚部バンド１０５ｄは、長さ方向の中央部がシート部１０５ａに固定されており、その両端部には面ファスナー１０５ｇが設けられているため、両端部を接着することで胸部バンド１０５ｃ及び脚部バンド１０５ｄを輪状にすることができる。
【０１２５】
また、シート部１０５ａの四隅には、中央に吊り紐１０５ｂを通して固定するための孔が形成された吊り紐固定部１０５ｆが設けられている。
【０１２６】
そのため、図７−２に示すように、被介護者１０１の臀部の位置をシート部１０５ａの排水孔１０５ｅの位置に合わせながら被介護者１０１をシート部１０５上に仰向けに寝かせ、胸部を胸部バンド１０５ｃで巻いて両端部を接着させることでシート部１０５ａに固定することができるとともに、大腿部をそれぞれ脚部バンド１０５ｄ，１０５ｄで巻いて両端を接着させることでシート部１０５ａに固定することができる。
【０１２７】
そして、吊り紐固定部１０５ｆに吊り紐１０５ｂを通しながら固定してリフト装置１０４により吊り具１０５を吊り上げることで、図７−３に示すように、シート部１０５ａによって被介護者１０１の頭部から大腿部に至るまでの部分を背中側から包み込む（覆う）一方、臀部を晒した状態で被介護者１０１を吊り上げることができる。このとき、被介護者１０１の頭部が臀部よりも高い位置となるように吊り紐１０５ｂの長さを調節しながら吊り上げる。
【０１２８】
上記構造の吊り具１０５を使用する事で、被介護者１０１がシート部１０５ａ上でずれることがないため、被介護者１０１を安定した状態で吊り上げることができる。また、被介護者１０１の脚部を開脚したまま被介護者１０１を吊り上げたり洗浄器２の下したりすることができるため、被介護者１０１の陰部及びその周辺を容易に洗浄することができる。
【０１２９】
更に、被介護者１０１は頭部から大腿部に至るまでの部分を背中側から包み込まれたままの状態で洗浄器２（の便座部９）の上に下すことができるため、洗浄器２及びその周囲を洗浄の際に飛び跳ねた汚水で汚すことがなく、また、被介護者１０１の陰部及びその周囲のみならず頭部や背中等の洗浄も可能となる。
【０１３０】
尚、吊り具１０５を使用して被介護者１０１を洗浄する際には、被介護者１０１に吊り具１０５を装着させてリフト装置１０４を操作することにより被介護者１０１を吊り上げ、吊り具１０５の排水孔１０５ｅの縁部を便座部９の内周円側の縁部と揃えるかまたはその内周円の内側にくるように配置しつつ、被介護者１０１の臀部の位置が便座部９の上に、背中の位置が背当て部１１の上にくるように調節して、被介護者１０１を洗浄器２の上に下す。
【０１３１】
こうすることで、移動式処理装置４のハンドシャワー部７９により被介護者１０１の陰部及びその周辺等を上から洗浄した際に生じた汚水は、排水孔１０５ｅから被介護者１０１の臀部の真下に位置するタンク部６内にそのまま落下するか、またはシート部１０５ａの上を流れて排水孔１０５ｅからタンク部６内に確実に落下するため、洗浄器２及びその周囲を汚すことなく汚水をタンク部６内に収容させることができる。
【０１３２】
次に、移動式処理装置４の第１汚水タンク４８等に収容した汚水等の排出及び第１汚水タンク４８等の内部の洗浄をトイレ等にて行う。具体的には、まず空気圧縮機５２を作動させて今度は第２汚水タンク４８内の気圧を大気圧よりも高い状態とする。そして、ホースリール７１のケース７１ｃからホース７１ｂを引き出してその先端部を便器に向けるとともに、ボールバルブ７０のレバー７０ａを操作して閉まっていたバルブを開く。こうすることで、第１汚水タンク４８と第２汚水タンク４９から排水管６９に流れ込んできて堰き止められていた汚水等をホースリール７１の接続部７１ａに誘導し、ホース７１ｂの先端部から便器内に排出することができる。
【０１３３】
汚水等の排出後は、空気圧縮機５２を停止させ、第１汚水タンク４８及び第２汚水タンク４９内を洗浄するため、ボールバルブ７０のレバー７０ａを操作してバルブを閉じた状態にして、第１汚水タンク４８の給水口６１及び第２汚水タンク４９の給水口６６から水を注入し、第１汚水タンク４８及び第２汚水タンク４９が一杯になるまで水を注入する。
【０１３４】
その後、給水口６１，６６の蓋を閉め、空気圧縮機５２を作動させて第２汚水タンク４８内の気圧を大気圧よりも高い状態とする。そして、ホースリール７１のホース７１ｂの先端部を便器に向けるとともに、ボールバルブ７０のレバー７０ａを操作してバルブを開いた状態とすることで、第１汚水タンク４８及び第２汚水タンク４９から排水管６９に流れ込んできて堰き止められていた洗浄水（汚水及び排泄物を含む）を、ホース７１ｂの先端部から便器内に排出することができる。そして、洗浄水の排出後は、空気圧縮機５２を停止させ、ボールバルブ７０のレバー７０ａを操作してバルブを閉じた状態にする。
【０１３５】
尚、第１汚水タンク４８及び第２汚水タンク４９内の汚れがひどい場合には、上記作業を繰り返して行い、第１汚水タンク４８及び第２汚水タンク４９内を洗浄する。そして、洗浄が終了した後は、ホースリール７１のホース７１ｂを巻取り、ケース７１ｃ内に収容する。
【０１３６】
最後に、移動処理装置４を所定の保管場所まで移動させ、その外側の汚れを拭き取ることで被介護者１０１の陰部等の洗浄作業が終了する。
【符号の説明】
【０１３７】
１      排泄物処理装置                ４６    台車部
２      洗浄器                        ４８    第１汚水タンク
３      運搬装置                      ４９    第２汚水タンク
４      移動式処理装置                ５０    水タンク
５      本体                          ５１    温水タンク
６      タンク部                      ５２    空気圧縮機
７      バッテリー                    ５３ａ，５３ｂ    マグネットポンプ
８      洗浄装置                      ５４    排出機構
９      便座部                        ５５    駆動部
１０    傾斜面                        ５７    ホース
１１    背当て部                      ５８    荷台部
１２    開口部                        ５９    ハンドル部
１３    排水孔                        ６０    オーバーフローホース
１４    給水口                        ６１    給水口
１５    給水プラグ                    ６２    汚水ホース
１６    ホース                        ６３    エアバルブ
１７    底面                          ６５    ホース
１８ａ  第１の給水機構                ６６    給水口
１８ｂ  第２の給水機構                ６９    排水管
１９    シャワー部                    ７０    ボールバルブ
２１    給水プラグ                    ７１    ホースリール
２２    ホース                        ７３    給水ホース
２４    排水口                        ７４    給水口
２５    オーバーフロー排水プラグ      ７６    給水ホース
２６    ホース                        ７８    給水口
２７    排水口                        ７９    ハンドシャワー部
２８    排水プラグ                    ８０    結束バンド
２９    ホース                        ８１    ホース束
３０ａ  第１の排水機構                ８２    スタンド
３０ｂ  第２の排水機構                ８３    載置部
３１    取っ手部                      ８４    スタンド
３２    台車部                        ８５    操作レバー
３３    リフト部                      ８６    バッテリー
３４    キャスター                    １０１  被介護者
３５    荷台部                        １０２  ベッド
３６    ハンドル部                    １０３  吊り具
３８    台座部                        １０４  リフト装置
３９    貫通孔                        １０５  吊り具
４０    脚部
４１    ジャッキ部
４２    ローラコンベア
４３    固定孔
４４    ストッパーピン
【図１−１】
2018175293.tif 000003
【図１−２】
2018175293.tif 000004
【図２−１】
2018175293.tif 000005
【図２−２】
2018175293.tif 000006
【図３−１】
2018175293.tif 000007
【図３−２】
2018175293.tif 000008
【図４−１】
2018175293.tif 000009
【図４−２】
2018175293.tif 000010
【図４−３】
2018175293.tif 000011
【図４−４】
2018175293.tif 000012
【図５−１】
2018175293.tif 000013
【図５−２】
2018175293.tif 000014
【図６−１】
2018175293.tif 000015
【図６−２】
2018175293.tif 000016
【図６−３】
2018175293.tif 000017
【図７−１】
2018175293.tif 000018
【図７−２】
2018175293.tif 000019
【図７−３】
2018175293.tif 000020